【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
ホログラフィック記録装置またはシステムであって、
参照光を生成するための参照光源と、
信号光を生成するための信号光源と、
前記信号光および前記参照光がホログラフィック記憶媒体に入射する前に通過する対物レンズと、
前記対物レンズを移動させ、これにより、前記ホログラフィック記憶媒体に対して前記参照光の角度を変化させるための対物レンズ移動手段とを備えており、前記参照光および前記信号光が、前記対物レンズを通過した後に、１つ以上のデータページを前記ホログラフィック記憶媒体に記録するように干渉する
ホログラフィック記録装置またはシステム。
【請求項２】
前記参照光源が、前記ホログラフィック記憶媒体に記録された前記１つ以上のデータページを復元するための再生時参照光を生成できる請求項１に記載のホログラフィック記録装置またはシステム。
【請求項３】
前記参照光源および前記信号光源が、前記参照光と前記信号光とを生成するように平行光ビームが通過する偏光ビームスプリッタを備える請求項１に記載のホログラフィック記録装置またはシステム。
【請求項４】
前記偏光ビームスプリッタにポリトピックフィルタをさらに備える請求項３に記載のホログラフィック記録装置またはシステム。
【請求項５】
参照光用レンズと前記対物レンズとの間に配置された空間光変調器をさらに備え、該空間光変調器がチャネルを有し、前記参照光が前記参照光用レンズを通過した後および通過する前に前記チャネルを通過する請求項１に記載のホログラフィック記録装置またはシステム。
【請求項６】
前記対物レンズが少なくとも約０．６５の開口数を有する請求項１に記載のホログラフィック記録装置またはシステム。
【請求項７】
前記対物レンズが少なくとも約０．８５の開口数を有する請求項６に記載のホログラフィック記録装置またはシステム。
【請求項８】
前記参照光用レンズと前記対物レンズとの間に配置されたミラーをさらに備え、前記参照光が前記参照光用レンズを通過する任意の位置に変化させるように前記ミラーを回転または旋回させることができる請求項１に記載のホログラフィック記録装置またはシステム。
【請求項９】
前記ホログラフィック記憶媒体は、記録材料層と、１つ以上のデータページを前記ホログラフィック記憶媒体に記録する間に光を吸収するための、前記記録材料層の背面にある吸収層とを備える請求項１に記載のホログラフィック記録装置またはシステム。
【請求項１０】
ポリトピックフィルタをさらに備える請求項１に記載のホログラフィック記録装置またはシステム。
【請求項１１】
前記ホログラフィック記憶媒体にあるマークを読み取って、前記ホログラフィック記憶媒体の位置を特定するためのサーボシステムをさらに備える請求項１に記載のホログラフィック記録装置またはシステム。
【請求項１２】
１つ以上のデータページが前記ホログラフィック記憶媒体に記録された後に、前記ホログラフィック記憶媒体をポストキュアするためのキュアシステムをさらに備える請求項１に記載のホログラフィック記録装置またはシステム。
【請求項１３】
前記対物レンズ移動手段が、前記対物レンズを前記ホログラフィック記憶媒体の表面に対して平行に機械的に移動させる請求項１に記載のホログラフィック記録装置またはシステム。
【請求項１４】
前記対物レンズが光軸を有し、前記対物レンズ移動手段が、前記対物レンズを前記光軸に対して平行に機械的に移動させて、前記対物レンズの焦点を合わせることができる請求項１に記載のホログラフィック記録装置またはシステム。
【請求項１５】
前記参照光の波長は可変であり、該波長が温度変化を補償するように変化できる請求項１に記載のホログラフィック記録装置またはシステム。
【請求項１６】
方法であって、
（ａ）同じ対物レンズを通過している両方の信号光および参照光を用いて、１つ以上のデータページをホログラフィック記憶媒体に記録するステップと、
（ｂ）前記対物レンズを移動させ、これにより、前記ホログラフィック記憶媒体への前記参照光の入射角度を変化させるステップと、
を含む方法。
【請求項１７】
ステップ（ａ）が、複数のデータページをポリトピック多重化するステップを含む請求項１６に記載の方法。
【請求項１８】
（ｃ）位相共役読み出しを用いて、前記１つ以上のデータページの選択されたデータページを読み取るステップをさらに含む請求項１６に記載の方法。
【請求項１９】
ステップ（ｂ）が、前記対物レンズを前記参照光の光軸に対して直交して移動させるステップを含む請求項１６に記載の方法。
【請求項２０】
ステップ（ｂ）が、前記対物レンズを前記参照光の前記光軸に対して平行に移動させ、これにより、発散または収束する参照光を生成するステップを含む請求項１６に記載の方法。
【請求項２１】
ステップ（ｂ）が、前記ホログラフィック記憶媒体の傾きを補正するステップを含む請求項１６に記載の方法。
【請求項２２】
（ｄ）前記対物レンズのディザリングを調整して、前記ホログラフィック記憶媒体の温度変化を補償するステップをさらに含む請求項１６に記載の方法。
【請求項２３】
（ｅ）前記参照光および／または前記信号光の波長を調整して、前記ホログラフィック記憶媒体の温度変化を補償するステップをさらに含む請求項１６に記載の方法。
【請求項２４】
ホログラフィック記録装置またはシステムであって、
参照光を生成するための参照光源と、
信号光を生成するための信号光源と、
前記信号光および前記参照光がホログラフィック記憶媒体に入射する前に通過する対物レンズと、
前記参照光が通過する参照光用レンズと、
前記参照光用レンズを移動させ、これにより、前記ホログラフィック記憶媒体に対して前記参照光の角度を変化させる参照光用レンズ移動手段とを備えており、前記参照光および前記信号光が、前記対物レンズを通過した後に、１つ以上のデータページを前記ホログラフィック記憶媒体に記録するように干渉するホログラフィック記録装置またはシステム。
【請求項２５】
前記参照光源が、前記ホログラフィック記憶媒体に記録された前記１つ以上のデータページを復元するための再生時参照光を生成できる請求項２４に記載のホログラフィック記録装置またはシステム。
【請求項２６】
前記参照光源が、前記ホログラフィック記憶媒体に記録された前記１つ以上のデータページを復元するための再生時参照光を生成できる請求項２４に記載のホログラフィック記録装置またはシステム。
【請求項２７】
前記参照光源および前記信号光源が、前記参照光と前記信号光とを生成するように平行光ビームが通過する偏光ビームスプリッタを備える請求項２４に記載のホログラフィック記録装置またはシステム。
【請求項２８】
前記参照光用レンズと前記対物レンズとの間に配置された空間光変調器をさらに備え、該空間光変調器がチャネルを有し、前記参照光が前記参照光用レンズを通過した後および通過する前に前記チャネルを通過する請求項２４に記載のホログラフィック記録装置またはシステム。
【請求項２９】
前記対物レンズが少なくとも約０．６５の開口数を有する請求項２４に記載のホログラフィック記録装置またはシステム。
【請求項３０】
前記対物レンズが少なくとも約０．８５の開口数の大きさを有する請求項２９に記載のホログラフィック記録装置またはシステム。
【請求項３１】
前記参照光用レンズと前記対物レンズとの間に配置されたミラーをさらに備え、前記参照光が前記参照光用レンズを通過する任意の位置に変化させるように前記ミラーを回転または旋回させることができる請求項２４に記載のホログラフィック記録装置またはシステム。
【請求項３２】
方法であって、
（ａ）参照光用レンズを介して参照光を透過するステップと、
（ｂ）参照光および信号光が同じ対物レンズを通過した後に、前記参照光と前記信号光とを干渉させることによって、１つ以上のデータページをホログラフィック記憶媒体に記録するステップと、
（ｃ）前記対物レンズに対して前記参照光用レンズを移動させ、これにより、前記ホログラフィック記憶媒体への前記参照光の入射角度を変化させるステップと、
を含む方法。
【請求項３３】
ステップ（ａ）が、複数のデータページを前記ホログラフィック記憶媒体にポリトピック角度多重化するステップを含む請求項３２に記載の方法。
【請求項３４】
（ｄ）位相共役読み出しを用いて、前記記録された１つ以上のデータページの選択されたデータページを読み取るステップをさらに含む請求項３２に記載の方法。
【請求項３５】
ステップ（ｃ）が、前記参照光用レンズを前記参照光の光軸に対して直交して移動させるステップを含む請求項３２に記載の方法。
【請求項３６】
ステップ（ｃ）が、前記参照光用レンズを前記参照光の前記光軸に対して平行に移動させ、これにより、発散または収束する参照光を生成するステップを含む請求項３２に記載の方法。
【請求項３７】
ステップ（ｃ）が、前記ホログラフィック記憶媒体の傾きを補正するステップを含む請求項３２に記載の方法。
【請求項３８】
（ｅ）前記参照光用レンズのディザリングを調整して、前記ホログラフィック記憶媒体の温度変化を補償するステップをさらに含む請求項３２に記載の方法。
【請求項３９】
（ｆ）前記参照光および／または前記信号光の波長を調整して、前記ホログラフィック記憶媒体の温度変化を補償するステップをさらに含む請求項３２に記載の方法。
【請求項４０】
ホログラフィック記録装置またはシステムであって、
ホログラフィック記憶媒体の一方の側に配置された対物レンズと、
前記ホログラフィック記憶媒体の反対側に配置された反射装置と、
位相共役光学系と、
再生時参照光が前記ホログラフィック記憶媒体に入射する前に通過する対物レンズと、
再生時参照光を生成するための再生時参照光源とを備えており、前記再生時参照光は、再生時参照光経路に沿って導かれ、前記対物レンズ、前記ホログラフィック記憶媒体を経由し、そして前記反射装置によって、前記ホログラフィック記憶媒体を介して前記位相共役光学系に導かれ、前記位相共役光学系が前記再生時参照光から位相共役ビームを生成し、該位相共役ビームが、前記ホログラフィック記憶媒体に記憶された１つ以上のデータページから再生光を生成するホログラフィック記録装置またはシステム。
【請求項４１】
前記位相共役光学系が前記ホログラフィック記憶媒体の前記一方の側に配置される請求項４０に記載のホログラフィック記録装置またはシステム。
【請求項４２】
前記反射装置が前記ホログラフィック記憶媒体に取り付けられる請求項４０に記載のホログラフィック記録装置またはシステム。
【請求項４３】
前記反射装置が前記ホログラフィック記憶媒体の一部である請求項４０に記載のホログラフィック記録装置またはシステム。
【請求項４４】
前記対物レンズを移動させ、これにより、前記ホログラフィック記憶媒体に対して前記再生時参照光の角度を変化させるための対物レンズ移動手段をさらに備える請求項４０に記載のホログラフィック記憶システム。
【請求項４５】
前記再生時参照光が前記対物レンズを通過する前に通過する再生時参照光レンズと、
前記再生時参照光レンズを移動させ、これにより、前記ホログラフィック記憶媒体に対して前記再生時参照光の角度を変化させるための再生時参照光レンズ移動手段と、
をさらに備える請求項４０に記載のホログラフィック記録装置またはシステム。
【請求項４６】
前記位相共役光学系がコーナーキューブを備える請求項４０に記載のホログラフィック記録装置またはシステム。
【請求項４７】
前記位相共役光学系がコーナーキューブアレイを備える請求項４０に記載のホログラフィック記録装置またはシステム。
【請求項４８】
前記位相共役光学系が、制御可能なＥＯ結晶を含む請求項４０に記載のホログラフィック記録装置またはシステム。
【請求項４９】
前記位相共役光学系が、制御可能なブレーズ格子を備える請求項４０に記載のホログラフィック記録装置またはシステム。
【請求項５０】
前記位相共役光学系がチャープ格子を備える請求項４０に記載のホログラフィック記録装置またはシステム。
【請求項５１】
前記再生光を検出するための検出器をさらに備える請求項４０に記載のホログラフィック記録装置またはシステム。
【請求項５２】
データページが前記ホログラフィック記憶媒体に記録されている最中、前記反射装置により、参照光が、前記再生時参照光経路に沿って前記ホログラフィック記憶媒体に戻される事無く、前記ホログラフィック記憶媒体を通過することが可能になる請求項４０に記載のホログラフィック記録装置またはシステム。
【請求項５３】
データページが前記ホログラフィック記憶媒体に記録されている最中、前記反射装置により、前記記録参照光が前記反射装置を通過することが可能になる請求項５２に記載のホログラフィック記録装置またはシステム。
【請求項５４】
データページが前記ホログラフィック記憶媒体に記録されている最中、前記反射装置が前記記録参照光を吸収する請求項５２に記載のホログラフィック記録装置またはシステム。
【請求項５５】
方法であって、
（ａ）再生時参照光経路に沿って再生時参照光を透過するステップであって、前記再生時参照光が、（ｉ）１つ以上のデータページを記憶したホログラフィック記憶媒体の入射面に入射する前に対物レンズを通過し、（ｉｉ）前記ホログラフィック記憶媒体を通過し、（ｉｉｉ）位相共役ビームを生成するために、前記ホログラフィック記憶媒体の反対側にある反射装置によって前記ホログラフィック記憶媒体を戻って位相共役光学系に導かれるステップと、
（ｂ）前記ホログラフィック記憶媒体を介して前記位相共役ビームを導き、これにより、前記ホログラフィック記憶媒体に記録された前記１つ以上のデータページの選択されたデータページを復元するように、前記位相共役光学系を制御するステップと、
を含む方法。
【請求項５６】
前記反射装置が前記ホログラフィック記憶媒体に取り付けられる請求項５５に記載の方法。
【請求項５７】
前記対物レンズを移動させ、これにより、前記ホログラフィック記憶媒体の前記入射面に対して前記再生時参照光の角度を変化させるさらなるステップを含む請求項５５に記載の方法。
【請求項５８】
前記再生時参照光が前記対物レンズを通過する前に再生時参照光レンズを通過し、該再生時参照光レンズが、前記ホログラフィック記憶媒体に対して前記再生時参照光の角度を変化させるように移動する請求項５５に記載の方法。
【請求項５９】
前記位相共役光学系がコーナーキューブを備える請求項５５に記載の方法。
【請求項６０】
前記位相共役光学系がコーナーキューブアレイを備える請求項５５に記載の方法。
【請求項６１】
前記位相共役光学系が、制御可能なＥＯ結晶を含む請求項５５に記載の方法。
【請求項６２】
前記位相共役光学系が、制御可能なブレーズ格子を備える請求項５５に記載の方法。
【請求項６３】
前記ホログラフィック記憶媒体に入射する前に前記対物レンズを通過する両方の信号光および参照光を用いて、前記１つ以上のデータページを前記ホログラフィック記憶媒体に記憶するステップをさらに含む請求項５５に記載の方法。
【請求項６４】
ホログラフィック記憶復元装置またはシステムであって、
ホログラフィック記憶媒体の記録材料層の一方の側に配置された対物レンズと、
前記記録材料層の反対側に配置された位相共役光学系と、
再生時参照光が前記ホログラフィック記憶媒体に入射する前に通過する対物レンズと、
再生時参照光を生成するための再生時参照光源であって、前記再生時参照光が、前記位相共役光学系に向かって前記対物レンズを通過して前記記録材料層を通過する再生時参照光経路に沿って導かれ、前記位相共役光学系が前記再生時参照光から位相共役ビームを生成し、該位相共役ビームが、前記記録材料層に記憶された１つ以上のデータページから再生光を生成するために、前記ホログラフィック記憶媒体を介して導かれる再生時参照光源と、
を備えるホログラフィック記憶復元装置またはシステム。
【請求項６５】
前記位相共役光学系が前記ホログラフィック記憶媒体に取り付けられる請求項６４に記載のホログラフィック記録装置またはシステム。
【請求項６６】
前記位相共役光学系が、前記記録材料層に隣接する前記ホログラフィック記憶媒体に取り付けられる請求項６４に記載のホログラフィック記録装置またはシステム。
【請求項６７】
前記位相共役光学系は、データページが前記記録材料層に記憶されている場合に参照光を吸収するように、またはデータページが前記記録材料層から復元されている場合に前記再生時参照光が前記記録材料層を通過することを可能にするように制御できる可変層と、前記通過した再生時参照光を前記記録材料層に向かって導いて、前記再生光を生成するように制御できる格子とを備える請求項６４に記載のホログラフィック記録装置またはシステム。
【請求項６８】
前記再生時参照光を前記対物レンズに向かって通過させるための第１の透明な空間を第１の側に有し、該第１の側と反対側の第２の側に第２の透明な空間を有する空間光変調器をさらに備え、前記位相共役光学系が、前記再生時参照光を前記ホログラフィック記憶媒体に向かって導くために、前記第２の透明な空間に隣接して配置された反射装置を備える請求項６４に記載のホログラフィック記録装置またはシステム。
【請求項６９】
方法であって、
（ａ）再生時参照光経路に沿って再生時参照光を透過するステップであって、前記再生時参照光が、（ｉ）１つ以上のデータページを記憶したホログラフィック記憶媒体の記録材料層の第１の側に入射し、（ｉｉ）前記記録材料層の前記第１の側の反対側に配置された位相共役光学系に向かって前記記録材料層を通過するステップと、
（ｂ）位相共役ビームを生成して前記記録材料層に向かって導き、これにより、前記記録材料層に記憶された前記１つ以上のデータページの選択されたデータページを復元するように、前記位相共役光学系を制御するステップと、
を含む方法。
【請求項７０】
前記位相共役光学系が前記ホログラフィック記憶媒体に取り付けられる請求項６９に記載の方法。
【請求項７１】
前記位相共役光学系が、前記記録材料層に隣接する前記ホログラフィック記憶媒体に取り付けられる請求項６９に記載の方法。
【請求項７２】
前記位相共役光学系は、データページが前記記録材料層に記憶されている場合に参照光を吸収するように、またはデータページが前記記録材料層から復元されている場合に前記再生時参照光が前記記録材料層を通過することを可能にするように制御できる可変層と、前記通過した再生時参照光を前記記録材料層に向かって導いて、前記再生光を生成するように制御できる格子とを備える請求項６９に記載の方法。
【請求項７３】
ホログラフィック記憶媒体を備える物品であって、前記ホログラフィック記憶媒体が、
１つ以上のデータページを記録するための記録材料層と、
１つ以上のデータページが前記記録材料層に記録されている場合に光ビームを吸収し、そして前記記録材料層に記録された１つ以上のデータページが前記記録材料層から復元されている場合に光ビームが通過することを可能にする、前記記録材料層の下にある可変ビーム透過層と、
前記可変層を通過した光ビームを反射し、これにより位相共役ビームを生成するための、前記可変層の下にある反射層と、
を備える物品。
【請求項７４】
前記可変層が位相変化媒体を備える請求項７３に記載の物品。
【請求項７５】
前記可変層がエレクトロクロミック材料またはフォトクロミック材料を含む請求項７４に記載の物品。
【請求項７６】
前記可変層が、前記光ビームの偏光に応じてビーム透過特性を変化させる請求項７４に記載の物品。
【請求項７７】
前記反射層が、前記光ビームの偏光に応じて反射率特性を変化させる請求項７６に記載の物品。
【請求項７８】
前記反射層が、前記可変層を通過した光ビームを再帰反射し、これにより位相共役ビームを生成する格子層を備える請求項７３に記載の物品。
【請求項７９】
前記反射層がホログラフィック格子を備える請求項７８に記載の物品。
【請求項８０】
前記格子層が、金属被覆された表面リリーフ格子を備える請求項７８に記載の物品。
【請求項８１】
前記格子層がブレーズ格子を備える請求項７８に記載の物品。
【請求項８２】
前記ホログラフィック記憶媒体がディスクを備え、前記格子層が格子を備え、該格子が、ホログラフィックドライブ装置の光学ヘッドに整列されるようにディスクを中心に変化する回折構造である請求項７８に記載の物品。
【請求項８３】
前記格子が、前記ディスクを中心とするブックサイズの周囲の断片状の格子を備え、該断片状の格子がブック位置毎に角度を別個に変化させる請求項８２に記載の物品。
【請求項８４】
前記ホログラフィック記憶媒体が、さらに、前記記録材料層の上に配置された上側基板と、前記格子層の下に配置された下側基板とを備える請求項７３に記載の物品。
【請求項８５】
前記格子層が前記下側基板に形成される請求項８４に記載の物品。
【請求項８６】
サーボパターンが、前記ホログラフィック記憶媒体に対してホログラフィックドライブ装置の光学ヘッドを配置するために、前記上側基板および前記下側基板の少なくとも一方に形成される請求項８４に記載の物品。
【請求項８７】
ホログラフィック記憶媒体を備える物品であって、前記ホログラフィック記憶媒体が、
１つ以上のデータページを記録するための記録材料層と、
１つ以上のデータページが前記記録材料層に記録されている場合に光ビームを通過させ、そして前記記録材料層に記録された１つ以上のデータページが前記記録材料層から復元されている場合に光ビームを反射し、これにより位相共役ビームを生成する、前記記録材料層の下にある可変ビーム反射層と、
を備える物品。
【請求項８８】
可変層が、前記格子に存在する１つ以上の構成要素の重合により反射率を変化させて、前記光ビームを通過させるかまたは再帰反射する格子を備える請求項８７に記載の物品。
【請求項８９】
前記可変層が、前記光ビームの偏光に応じて反射率特性を変化させる請求項８７に記載の物品。
【請求項９０】
ホログラフィック記憶装置またはシステムであって、
参照光を生成するための参照光源と、
信号光を生成するための信号光源と、
前記信号光および前記参照光がホログラフィック記憶媒体に入射する前に通過する対物レンズと、
前記参照光が前記対物レンズに入射する前に前記参照光の光軸の角度を変化させるためのミラーを備えており、
前記参照光および前記信号光が、前記対物レンズを通過した後に、１つ以上のデータページを前記ホログラフィック記憶媒体に記録するためのミラー駆動手段と、
を備えるホログラフィック記憶装置またはシステム。